(57)【要約】【課題】本発明は、携帯型のタグリーダライタを用いて、タグのリーディングレンジを拡張する、あるいはタグの読み書きを行いやすい方向を作業者におしえる非接触リーダ、情報リーダを提供する。【解決手段】情報が記録された情報記録担体と無線で通信するためのアンテナ部と、前記情報記録担体との通信を制御する制御部と、前記アンテナ部に着脱可能に取り付けられ前記アンテナ部と情報記録担体との通信を助成する導波アタッチメントとを備える。【選択図】　図１
2004013588.tif 000002
【特許請求の範囲】
【請求項１】
情報が記録された情報記録担体と無線で通信するためのアンテナと、前記アンテナを内蔵する筐体とを有し、前記筐体に前記アンテナの主たる指向性を示すマークを付加した非接触リーダ。
【請求項２】
情報が記録された情報記録担体と無線で通信するためのアンテナと、前記アンテナと前記情報記録担体との間の通信を助成するため導波アタッチメントを着脱するための着脱部とからなる非接触リーダ。
【請求項３】
情報が記録された情報記録担体と無線で通信するためのアンテナと、前記アンテナと前記情報記録担体との間の通信を助成するための導波アタッチメントを着脱するための着脱部に前記導波アタッチメントを取り付けてなる非接触リーダ。
【請求項４】
導波アタッチメントはアンテナ部側に設けられた第１のコイルと、前記第１のコイルと導波線によって接続された第２のコイルを内蔵する請求項３記載の非接触リーダ。
【請求項５】
導波アタッチメントを伸縮自在に構成した請求項２または３記載の非接触リーダ。
【発明の詳細な説明】
【０００１】
【発明の属する技術分野】
本発明は、情報が記録された情報記録担体と無線で通信する非接触リーダ、あるいは情報記録担体の情報を授受する情報リーダに関する。
【０００２】
【従来の技術】
従来の非接触リーダは、特開平７−３２１６９８に示されている。この先行技術では、ＲＦＩＤ応答機の近傍にカップリングコイルを置き、それをアンテナに接続することで、質問機との通信をアンテナやカップリングコイルを通して行い、応答機のリーディングレンジを拡張し、広い領域で質問機の問いかけに応答できるようにしたものである。
【０００３】
【発明が解決しようとする課題】
しかしながら、従来例に挙げられているタイヤのようにＲＦＩＤを取り付けるものが大きいときは、ＲＦＩＤを取り付けるものにアンテナを設置し、リーディングレンジを拡張し、広い領域で質問機の問いかけに応答できたが、ＲＦＩＤを取り付けるものが小さいときはリーディングレンジを拡張することがでなかった。
【０００４】
本発明は、上記従来の問題点を解決するもので、携帯型のタグリーダライタを用いて、人間の手の位置に対するタグのリーディングレンジを拡張する、あるいはタグの読み書きを行いやすい方向を作業者におしえる非接触リーダ、情報リーダを提供する事を目的とする。
【０００５】
【課題を解決するための手段】
この目的を達成するために本発明の第１の手段は、情報が記録された情報記録担体と無線で通信するためのアンテナと、前記アンテナを内蔵する筐体とを有し、前記筐体に前記アンテナの主たる指向性を示すマークを付加した。
【０００６】
また、本発明第２の手段は、情報が記録された情報記録担体と無線で通信するためのアンテナと、前記アンテナと前記情報記録担体との間の通信を助成するため導波アタッチメントを着脱するための着脱部とから構成される。
【０００７】
また、本発明第３の手段は、情報が記録された情報記録担体と無線で通信するためのアンテナと、前記アンテナと前記情報記録担体との間の通信を助成するための導波アタッチメントを着脱するための着脱部に前記導波アタッチメントを取り付けている。
【０００８】
また、本発明第４の手段は、導波アタッチメントとして、アンテナ部側に設けられた第１のコイルと、前記第１のコイルと導波線によって接続された第２のコイルとからなるものを用いた。
【０００９】
また、本発明第５の手段は、伸縮自在な導波アタッチメントを用いた。
【００１０】
【発明の実施の形態】
上記構成により、本発明の第１の手段は、アンテナの主たる指向性を示すマークによって、作業者が非接触リーダを情報記録担体と通信しやすい方向に向けることができるという作用を有する。
【００１１】
さらに、本発明の第２手段は、導波アタッチメントによって、必要なときは、非接触リーダと情報記録担体との通信を助成することができるという作用を有する。
【００１２】
さらに、本発明の第３手段は、導波アタッチメントによって、非接触リーダと情報記録担体との通信を助成することができるという作用を有する。
【００１３】
さらに、本発明の第４手段は、伸縮自在な導波アタッチメントによって、非接触リーダと情報記録担体との通信を助成することができるという作用を有する。
【００１４】
さらに、本発明の第５手段は、導波アタッチメントによって、情報リーダと情報記録担体との情報の授受を助成することができるという作用を有する。
【００１５】
以下、本発明の実施の形態について図１ないし図２を参照しながら説明する。ここでは、非接触リーダをタグリーダライタとし、情報記録担体をタグとした。図１は、本実施の形態によって実施される、タグリーダライタをもちいて、タグの情報を読み書きしていることを示す外観図である。
【００１６】
１は非接触ＩＣカードや非接触タグに書き込まれた情報を無線により読み出し、または、非接触ＩＣカード等に情報を無線により書き込み可能なタグリーダライタ、２はこのタグリーダライタ１に内蔵されているアンテナ、３はタグ方向目印、４はタグである。本実施の形態ではこのタグ方向目印３は、アンテナが埋め込まれている付近で筐体の一部を構成する凸部５に付けられているが、このような凸部がない場合でも、筐体のアンテナが埋め込まれている付近に付けられていても良い。
【００１７】
また、このタグリーダライタには、図示していないが、アンテナ２に接続され、アンテナ２で受信した電波や送信する電波を変復調する変復調部や、受信電波を復調した信号をデコードするデコーダや送信信号のデータ作成部を含む信号処理部、また信号の送信命令や読み取り命令を発する通信制御部が含まれる。タグリーダライタ１は、アンテナ２や上述の変復調部、信号処理部、通信制御部等を筐体に入れて構成されている。
【００１８】
図１に示すように、アンテナ２はタグリーダライタ１の内部にあるので見えなくどちらの方向に指向性が向いているかわからないために、タグ４にタグリーダライタ１をどのように向けてよいか作業者はわかりづらい。そこでアンテナの指向性方向をタグ方向目印３のように示しておき、作業者がタグの存在する方向に矢印を向けるともっとも情報の読み書きが円滑に行うようになる。
【００１９】
図２は、本実施の形態によって実施される、タグリーダライタ及び導波アタッチメントをもちいて、タグの情報を読み書きしていることを示す外観図である。１はタグリーダライタ、２はアンテナ、３はタグ方向目印であり図１に示す実施の形態と同様で、変復調部や信号処理部、通信制御部等も有している。４はタグである。
【００２０】
６は導波コイル、７は導波アタッチメント、８は入出力コイルで、タグリーダライタ２に埋め込まれたアンテナ２付近で筐体の一部を構成する着脱部９に導波アタッチメント７を取り付ける構成となっている。導波アタッチメント７をタグリーダライタ１の着脱部９にとりつけ、タグリーダライタ１内のアンテナ２から電磁波を発射すると、導波アタッチメント７内の導波コイル６に電磁誘導し、電流になって導波アタッチメント内をとおり、入出力コイル８に導かれる。それによって電磁波が入出力コイル８で発生し、タグ４に電磁誘導で情報が届く。タグ４からの応答電磁波はその反対の経路をとおりアンテナ２に戻ってくる。
【００２１】
この導波アタッチメント７は、上述の通りタグリーダライタ１に着脱可能であり、必要なときだけ導波アタッチメント７をタグリーダライタ１に取り付け作業者からはなれたところにあるタグ４と情報の読み書きができる。
【００２２】
また、導波アタッチメントを伸縮可能な構造とすることで、さらに利便性が向上する。図３（ａ）は、この導波アタッチメントを伸縮自在に構成した例を示す側面図で、１２は伸縮自在に構成された導波アタッチメントである。この導波アタッチメントは２つの筒から構成され、一方の筒には溝１４が設けられ、この溝１４に、もう一方の筒に設けられた係止部１５を係止する構成となっている。この溝１４を複数設けることで、係止部１５を有する筒の係止場所を変えることができ、導波アタッチメント１３の長さを伸縮自在にできる。図３（ｂ）は、係止部１５と溝１４とによる係止状態を示す断面図である。
【００２３】
このように導波アタッチメントを伸縮自在にする場合は、導波コイル１０と入出力コイル１１とをつなぐ線を図３に示すようにカールコードを用いればよい。
【００２４】
【発明の効果】
以上のように本発明の第１の手段による非接触リーダによれば、アンテナの主たる指向性を示すマークによって、人が非接触リーダを情報記録担体と通信しやすい方向に向けることができるという優れた効果を奏するものである。
【００２５】
さらに、本発明の第２手段による非接触リーダによれば、導波アタッチメントによって、必要なときは、非接触リーダと情報記録担体との通信を助成することができるという優れた効果を奏するものである。
【００２６】
さらに、本発明の第３手段による非接触リーダによれば、導波アタッチメントによって、非接触リーダと情報記録担体との通信を助成することができるという優れた効果を奏するものである。
【００２７】
さらに、本発明の第４手段による非接触リーダによれば、伸縮自在な導波アタッチメントによって、非接触リーダと情報記録担体との通信を助成することができるという優れた効果を奏するものである。
【００２８】
さらに、本発明の第５手段によるに情報リーダよれば、情報リーダと情報記録担体との情報の授受を助成することができるという優れた効果を奏するものである。
【図面の簡単な説明】
【図１】本発明の実施の形態において、タグリーダライタをもちいて、タグの情報を読み書きしていることを示す外観図
【図２】同実施の形態において、タグリーダライタ及び導波アタッチメントをもちいて、タグの情報を読み書きしていることを示す外観図
【図３】同実施の形態において、伸縮自在の導波アタッチメントの構成を示す図
【符号の説明】
１　タグリーダライタ
２　アンテナ
３　タグ方向目印
４　タグ
５　導波コイル
６　導波アタッチメント
７　入出力コイル
【図１】
2004013588.tif 000003
【図２】
2004013588.tif 000004
【図３】
2004013588.tif 000005